(57)【要約】    【課題】通信ネットワークを利用した商品の広告・宣伝において、複数の仲介者の貢献を証明し、報酬を与えることを可能とする。    【解決手段】商品に関する情報や広告・宣伝メッセージを公開する商品情報提供装置２１は、情報参照装置２３が通信ネットワーク２５を介して直接もしくは仲介情報提供装置２２を経由して前記情報やメッセージを参照または商品の購入を要求してきた時、これがどのような仲介者を経由したものであるのか、介在した仲介者を全て識別して接続記録装置２４に記録し、当該記録に基づき各仲介者の販売への貢献に応じた報酬を支払う。【選択図】図１
2005202591.tif 000002
【特許請求の範囲】
【請求項１】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置は、利用者装置からの商品に関する情報や広告・宣伝メッセージを参照するあるいは商品を購入するための要求を、当該要求が直接か又は仲介者装置を経由しているのか更に仲介者装置を経由している場合はどの仲介者装置を経由しているのかという情報とともに記録する記録装置を備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はどの仲介者装置を経由しているのかという情報とともに記録するステップと、
販売者装置が記録装置に記録された利用者装置からの商品を購入するための要求のうち、仲介者装置を経由している要求について当該要求を経由した全ての仲介者装置へ前記情報を基に報酬を支払うステップとを含む
ことを特徴とする商品広告・宣伝方法。
【請求項２】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置は、要求に応じて利用者装置のうち商品を仲介しようとする装置を仲介者装置として設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はどの仲介者装置を経由しているのかという情報とともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はどの仲介者装置を経由しているのかという情報とともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置として設定するステップと、
販売者装置が記録装置に記録された利用者装置からの商品を購入するための要求のうち、仲介者装置を経由している要求について当該要求を経由した全ての仲介者装置へ前記情報を基に報酬を支払うステップとを含む
ことを特徴とする商品広告・宣伝方法。
【請求項３】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置のドメイン名及びアドレスを保持するＤＮＳサーバを用い、
販売者装置は、要求に応じて利用者装置のうち商品を仲介しようとする装置を仲介者装置としてその専用のホスト名をＤＮＳサーバに設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はその専用のホスト名とともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はその専用のホスト名とともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置としてその専用のホスト名をＤＮＳサーバに設定するステップと、
販売者装置が記録装置に記録された利用者装置からの商品を購入するための要求のうち、仲介者装置を経由している要求について当該要求を経由した全ての仲介者装置へ前記ホスト名を基に報酬を支払うステップとを含む
ことを特徴とする商品広告・宣伝方法。
【請求項４】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置のドメイン名及びアドレスを保持するＤＮＳサーバを用い、
販売者装置は、要求に応じて利用者装置のうち商品を仲介しようとする装置を仲介者装置としてその専用のサブドメイン空間をＤＮＳサーバに設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はその専用のサブドメイン空間のドメイン名とともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はその専用のサブドメイン空間のドメイン名とともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置としてその専用のサブドメイン空間をＤＮＳサーバに設定するステップと、
販売者装置が記録装置に記録された利用者装置からの商品を購入するための要求のうち、仲介者装置を経由している要求について当該要求を経由した全ての仲介者装置へ前記ドメイン名を基に報酬を支払うステップとを含む
ことを特徴とする商品広告・宣伝方法。
【請求項５】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置は、利用者装置を認証する認証機構と、要求に応じて利用者装置のうち商品を仲介しようとする装置を仲介者装置として設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はその認証情報とともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はその認証情報とともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置として設定するステップと、
販売者装置が記録装置に記録された利用者装置からの商品を購入するための要求のうち、仲介者装置を経由している要求について当該要求を経由した全ての仲介者装置へ前記認証情報を基に報酬を支払うステップとを含む
ことを特徴とする商品広告・宣伝方法。
【請求項６】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
販売者装置は、要求に応じて利用者装置のうち商品を仲介しようとする装置を仲介者装置としてその専用のメールアドレスとともに設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はその専用のメールアドレスとともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はその専用のメールアドレスとともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置としてその専用のメールアドレスとともに設定するステップと、
販売者装置が記録装置に記録された利用者装置からの商品を購入するための要求のうち、仲介者装置を経由している要求について当該要求を経由した全ての仲介者装置へ前記メールアドレスを基に報酬を支払うステップとを含む
ことを特徴とする商品広告・宣伝方法。
【請求項７】
通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、
利用者装置は、ネットワーク接続に仮想インタフェースを設定するドライバを備え、販売者装置は、ネットワーク接続に仮想インタフェースを設定するドライバと、要求に応じて利用者装置のうち商品を仲介しようとする装置を仲介者装置として前記各ドライバにその専用のアドレスを持つ仮想インタフェースを設定するプログラムと、利用者装置からの商品に関する情報や広告・宣伝メッセージを参照するあるいは商品を購入するための要求を、当該要求が直接か又は仲介者装置を経由しているのか更に仲介者装置を経由している場合はその専用のアドレスとともに記録する記録装置とを備え、
販売者装置が商品に関する情報や広告・宣伝メッセージを公開するステップと、
利用者装置が直接もしくは少なくとも１つの仲介者装置を経由して販売者装置へ商品に関する情報や広告・宣伝メッセージの参照もしくは商品購入を要求するステップと、
販売者装置が記録装置により利用者装置からの商品に関する情報や広告・宣伝メッセージを参照するあるいは商品を購入するための要求を、当該要求が直接か又は仲介者装置を経由しているのか更に仲介者装置を経由している場合はその専用のアドレスとともに記録するステップと、
商品に関する情報や広告・宣伝メッセージを参照した一の利用者装置が直接もしくは少なくとも１つの仲介者装置を経由して販売者装置へ仲介者装置としての設定を要求するステップと、
販売者装置がプログラムにより前記一の利用者装置を仲介者装置として各ドライバにその専用のアドレスを持つ仮想インタフェースを設定するステップと、
販売者装置が記録装置に記録された利用者装置からの商品を購入するための要求のうち、仲介者装置を経由している要求について当該要求を経由した全ての仲介者装置へ前記アドレスを基に報酬を支払うステップとを含む
ことを特徴とする商品広告・宣伝方法。
【発明の詳細な説明】
【技術分野】
【０００１】
本発明は、広域に相互接続された通信ネットワークを利用した、商品の広告・宣伝方法に関するものである。
【背景技術】
【０００２】
図３は従来の典型的な商品広告・宣伝方法の一例、ここではインターネットのような基本的に相手を指定して２者間の接続を確立する通信ネットワークを用いた例を示すもので、図中、１１はインターネット、１２，１３はインターネット１１上のＷＥＢサイト、１４はインターネット１１上のＷＥＢブラウザである。
【０００３】
なお、実際には、ＷＥＢサイトはインターネットに接続されたサーバ上で稼働するソフトウェアによって構築された仮想的な場所であり、ＷＥＢブラウザもインターネットに接続されたコンピュータ上で稼働するソフトウェアであるが、本明細書では、周知のソフトウェアやソフトウェアによって実現される周知の機能について、このようなハードウェアを省略した表現を用いることがあることを宣言しておく。
【０００４】
前記構成において、商品を販売しようとする者（商品販売者）は、当該商品に関する情報や広告・宣伝メッセージを、インターネット１１上の自身のＷＥＢサイト１２に記載する。商品を仲介する者（仲介者）は、その視点において商品を評価し、あるいは複数の商品を縦覧する目次や索引を設けて、商品情報や広告・宣伝メッセージ、商品に関する論評などを、インターネット１１上の自身のＷＥＢサイト１３に記載する。
【０００５】
インターネット１１を利用する者（ネットワーク利用者）は、ＷＥＢブラウザ１４を介してＷＥＢサイト１２もしくは１３に記載された前記商品に関する情報や広告・宣伝メッセージなどを参照し、商品を認知し、希望に応じて商品の購入を行う。この際、仲介者は、自身の商品販売への貢献に応じて、商品販売者から報酬を得ることができる（非特許文献１、２参照）。
【非特許文献１】ＮＴＴ技術ジャーナル、Ｖｏｌ．１５、Ｎｏ．７、２００３、「Ｗｅｂサービスの現状と課題」、ｐｐ．３０〜３３
【非特許文献２】”アフィリエイトで起業・副収入・副業を！”、ダ・ビンチ・インターネット有限会社、［平成１６年１月５日検索］、インターネット＜ｈｔｔｐ：／／ｗｗｗ．ａｆｆｉｌｉａｔｅｐｒｏｇｒａｍ．ｊｐ／＞
【発明の開示】
【発明が解決しようとする課題】
【０００６】
従来の商品広告・宣伝方法では、仲介者は商品販売者から報酬を得るため、必ず商品販売者との間で必要な設定を行わなければならなかった。従って、商品販売者とネットワーク利用者（消費者）との間に複数の仲介者を介在させるような広告・宣伝を行うことは出来なかった。
【０００７】
本発明の目的は、通信ネットワークを利用した商品の広告・宣伝において、複数の仲介者の貢献を証明し、報酬を与えることを可能とすることにある。
【課題を解決するための手段】
【０００８】
本発明の商品広告・宣伝方法においては、従来の問題点を解決し、複数の仲介者が介在して商品販売が成立した場合でも、その全ての仲介者を商品販売者に提示する機構を装備する。商品販売者は提示された仲介者に対して、その販売への貢献を考慮し、それに見合った報酬を分配する。
【０００９】
図１は本発明の商品広告・宣伝方法の基本構成を示すもので、図中、２１はネットワーク利用者に対して販売しようとする商品に関する情報を提供したり、その広告・宣伝を行う商品情報提供装置（販売者装置）、２２は単一または複数の商品に対する付加情報を提供し、あるいは商品情報提供装置２１の情報を集約して提供する仲介情報提供装置（仲介者装置）、２３は商品情報や仲介情報を参照し、または商品の購入を要求する情報参照装置（利用者装置）、２４はネットワーク利用者（情報参照装置２３）から直接もしくは仲介者（仲介情報提供装置２２）を経由して情報参照や商品購入要求があった場合に、これがどのような仲介者を経由したものであるのか、介在した仲介者を全て識別して記録する接続記録装置、２５はこれらを相互に接続する通信ネットワークである。
【００１０】
前記構成において、商品販売者は、販売しようとする商品に関する情報やその広告・宣伝メッセージを、ネットワーク２５に接続された商品情報提供装置２１に登録し、ネットワーク利用者から参照可能なように公開する。仲介者は、商品情報提供装置２１から得られる情報をもとに、単一または複数の商品に対する付加情報を提供し、あるいは商品情報提供装置２１の情報を集約して、仲介情報提供装置２２に登録し、ネットワーク利用者から参照可能なように公開する。
【００１１】
なお、図面では仲介情報提供装置（仲介者装置）を１つのみ示しているが、実際には仲介者の数もしくはそれ以上（一の仲介者が複数の仲介情報提供装置を運用している場合を含めて）存在するものとする（以下の実施例においても同様）。
【００１２】
ネットワーク利用者は、情報参照装置２３を用いて商品情報提供装置２１や仲介情報提供装置２２にネットワーク２５を介して接続し、商品に関する情報や広告・宣伝メッセージを参照し、またこれらの情報に基づいて商品の購入要求を行う。
【００１３】
仲介情報提供装置２２は、情報参照装置２３からの情報の参照や商品の購入のための接続要求を、当該仲介情報提供装置２２を特定できる情報を付加して、商品情報提供装置２１または他の仲介情報提供装置に転送する。
【００１４】
接続記録装置２４は、情報参照装置２３による商品情報提供装置２１への接続要求について、直接のものであるか仲介情報提供装置２２を経由したものであるか、また仲介情報提供装置２２を経由したものである場合はどの仲介情報提供装置を経由したものであるかを、介在した全ての仲介情報提供装置２２を識別して記録する。
【００１５】
商品販売者は、利用者から商品購入希望があった場合、商品情報提供装置２１により、接続記録装置２４の接続記録を参照し、仲介情報提供装置２２の販売への貢献に基づき、その仲介者に報酬を支払う。
【００１６】
この処理の流れを図２に示す。
【００１７】
このように本発明によれば、通信ネットワークにおける商品の広告・宣伝において、複数の仲介者を介在させることが可能になり、仲介者を多段に介在させて大きな広告・宣伝効果を実現することができる。
【００１８】
これは従来の商品広告・宣伝方法では、実現することが出来ない。仲介者は必ず商品販売者との間に直接設定が必要であり、多段に介在させることが出来ないからである。
【発明の効果】
【００１９】
本発明によれば、ネットワーク流通における商品販売において、販売への貢献に応じて適切な報酬を得ることが出来る仲介者を、介在させることを可能にする。この存在によって、相手を指定して２者間の接続を個別に確立する通信ネットワークの特徴を最大に生かし、商品の種類も消費者の嗜好も多様で変化が激しい商取引で、柔軟で即応性がある広告宣伝を実現することが出来る。
【発明を実施するための最良の形態】
【００２０】
本発明を実施するための最良の形態は、通信ネットワークに接続された販売者装置が販売しようとする商品に関する情報や広告・宣伝メッセージを、当該通信ネットワークを介して前記販売者装置へ直接もしくは少なくとも１つの仲介者装置を経由して接続してきた利用者装置から参照可能に公開することにより当該商品の広告・宣伝を行う商品広告・宣伝方法において、販売者装置が、記録装置により、利用者装置からの商品を購入するための要求を、当該要求が直接か又は仲介者装置を経由しているのか更に仲介者装置を経由している場合は全ての仲介者装置を識別可能な識別情報とともに記録し、商品購入のための要求のうち、仲介者装置を経由している要求について当該要求を経由した全ての仲介者装置へ前記識別情報を基に報酬を支払うことにより、販売者と利用者との間に複数の仲介者を多段に介在させることを可能とするとともに、各仲介者への貢献に応じた報酬の支払いを可能とする。
【００２１】
なお、本発明でいう「商品」とは、通常の物品のような実体のあるものはもとより、ネットワークを通じて提供される電子情報あるいはサービスのような実体のないものも含むものとする。
【実施例１】
【００２２】
図４は本発明の商品広告・宣伝方法の第１の実施例を示すもので、図中、３１はネットワーク利用者に対して販売しようとする商品に関する情報を提供したり、その広告・宣伝を行う商品販売ＨＴＴＰサーバ（販売者装置）、３２は商品に対する付加情報を提供し、あるいは商品販売ＨＴＴＰサーバ３１の情報を集約して提供する仲介ＨＴＴＰサーバ（仲介者装置）、３３は商品情報や仲介情報を参照し、また商品の購入を要求するＷＥＢブラウザ（利用者装置）、３４は仲介者経由かまたは利用者自身から直接の商品購入の要求があった場合にこれを受け付け処理する購入受付ＣＧＩスクリプト、３５は仲介者からの要求に基づいてその仲介者専用のＨＴＭＬ文またはＣＧＩスクリプトを設定する仲介者設定ＣＧＩスクリプト、３６は提供している情報が参照され、またはその情報に基づいた商品の購入要求や仲介者設定要求があった場合に、それらを商品販売ＨＴＴＰサーバ３１に転送するＨＴＭＬ文、３７は前記ＨＴＭＬ文やＣＧＩスクリプトが受け付けた参照要求を記録する参照記録データベース（ＤＢ）、３８はこれらを相互に接続するインターネット（通信ネットワーク）である。
【００２３】
前記構成において、商品販売者は、販売しようとする商品に関する情報やその広告・宣伝メッセージをＨＴＭＬ文に記述し、自身の管理する商品販売ＨＴＴＰサーバ３１を用いてこれをインターネット３８上で公開する。また、購入受付ＣＧＩスクリプト３４や仲介者設定ＣＧＩスクリプト３５も同時に記述し、併せて商品販売ＨＴＴＰサーバ３１に設定する。このようにすると、ＷＥＢブラウザ３３を用いて、この商品販売ＨＴＴＰサーバ３１に接続したネットワーク利用者は、この商品を評価し、また、購入希望を伝えることが出来るようになる。
【００２４】
商品を評価した結果、この商品を仲介しようとする利用者（仲介者）は、商品販売者の仲介者設定ＣＧＩスクリプト３５を起動する。仲介者設定ＣＧＩスクリプト３５は、その仲介者専用の商品紹介ＨＴＭＬ文、購入受け付けＣＧＩスクリプト、仲介者設定ＣＧＩスクリプトを商品販売ＨＴＴＰサーバ３１に設定する。
【００２５】
次に、仲介者は、仲介しようとする商品に関する情報やその広告・宣伝、論評などをＨＴＭＬ文３６に記述し、自身の管理する仲介ＨＴＴＰサーバ３２を用いてこれをインターネット３８上で公開する。商品情報に関するＨＴＭＬ文には適宜、商品販売ＨＴＴＰサーバ３１に仲介者設定ＣＧＩスクリプト３５が設定した、その仲介者専用のＨＴＭＬ文への参照を設定する。また、商品の購入を受け付ける参照文や仲介者を設定する参照文も同時に記述し、参照先にはそれぞれ商品販売ＨＴＴＰサーバ３１に設定されている、その仲介者専用の購入受付ＣＧＩスクリプト３４、仲介者設定ＣＧＩスクリプト３５を指定する。
【００２６】
この時点でネットワーク利用者は、商品販売ＨＴＴＰサーバ３１と仲介ＨＴＴＰサーバ３２の両方を同時に参照可能である。いずれかのＨＴＴＰサーバを参照し商品を評価した結果、この商品を仲介しようとするネットワーク利用者は、商品販売者または仲介者の仲介者設定ＣＧＩスクリプトを利用すれば、以下、前述の仲介者設定手順と同様にして、自分も仲介者となることが出来る。仲介者設定ＣＧＩスクリプト３５は、設定要求が別の仲介者を経由して行われた場合は、新たな仲介者を設定する際に、その要求に介在した仲介者を全て関連付けて記録する。
【００２７】
利用者から購入受付ＣＧＩスクリプト３４に対して商品購入の意志表示があった場合、参照記録データベース３７は、この接続を受けた購入受付ＣＧＩスクリプト３４が特定の仲介者からの要求に従って仲介者設定ＣＧＩスクリプト３５が設定した、その仲介者に対応した購入受付ＣＧＩスクリプト３４であるどうかに基づき、それを記録する。
【００２８】
この結果、商品販売者は、商品情報を参照したり購入希望を伝えてきた利用者が、元々どのＨＴＴＰサーバを参照していたのかを知ることが出来る。利用者が参照したＨＴＴＰサーバが仲介者のものであった場合、商品販売者はこの仲介者及びこの仲介者の設定を仲介した仲介者について、販売に貢献があったものとみなし、参照記録データベース３７に基づいて報酬を支払う。
【００２９】
この処理の流れを図５に示す。
【００３０】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【実施例２】
【００３１】
図６は本発明の商品広告・宣伝方法の第２の実施例を示すもので、図中、第１の実施例と同一構成部分は同一符号をもって表す。即ち、３１は商品販売ＨＴＴＰサーバ、３２は仲介ＨＴＴＰサーバ、３３はＷＥＢブラウザ、３４は購入受付ＣＧＩスクリプト、３６はＨＴＭＬ文、３７は参照記録データベース（ＤＢ）、３８はインターネット（通信ネットワーク）、３９は商品販売ＨＴＴＰサーバ３１のドメイン名とアドレスを保持するＤＮＳサーバ、４０は仲介者からの要求に基づいて、その仲介者専用のＨＴＭＬサーバの別名をＤＮＳサーバ３９に設定する仲介者設定ＣＧＩスクリプトである。
【００３２】
前記構成において、商品販売者は、販売しようとする商品に関する情報やその広告・宣伝メッセージをＨＴＭＬ文に記述し、自身の管理する商品販売ＨＴＴＰサーバ３１を用いてこれをインターネット３８上で公開する。また、購入受付ＣＧＩスクリプト３４や仲介者設定ＣＧＩスクリプト４０も同時に記述し、併せて商品販売ＨＴＴＰサーバ３１に設定する。このようにすると、ＷＥＢブラウザ３３を用いてこの商品販売ＨＴＴＰサーバ３１に接続したネットワーク利用者は、この商品を評価し、また購入希望を伝えることが出来るようになる。
【００３３】
商品を評価した結果、この商品を仲介しようとする利用者（仲介者）は、商品販売者の仲介者設定ＣＧＩスクリプト４０を起動する。仲介者設定ＣＧＩスクリプト４０は、ＤＮＳサーバ３９に商品販売ＨＴＴＰサーバ３１に対する、その仲介者専用の特別な別名を設定する。
【００３４】
次に、仲介者は、仲介しようとする商品に関する情報やその広告・宣伝、論評などをＨＴＭＬ文３６に記述し、自身の管理する仲介ＨＴＴＰサーバ３２を用いてこれをインターネット３８上で公開する。商品情報に関するＨＴＭＬ文には適宜、商品販売ＨＴＴＰサーバ３１に仲介者設定ＣＧＩスクリプト４０が設定した、その仲介者専用のホスト名に基づく参照を設定する。また、商品の購入を受け付ける参照文や仲介者を設定する参照文も同時に記述し、参照先にはそれぞれ商品販売ＨＴＴＰサーバ３１に設定されている、その仲介者専用のホスト名に基づく購入受付ＣＧＩスクリプト３４、仲介者設定ＣＧＩスクリプト４０を指定する。
【００３５】
この時点でネットワーク利用者は、商品販売ＨＴＴＰサーバ３１と仲介ＨＴＴＰサーバ３２の両方が同時に参照可能である。いずれかのＨＴＴＰサーバを参照し商品を評価した結果、この商品を仲介しようとするネットワーク利用者は、商品販売者または仲介者の仲介者設定ＣＧＩスクリプトを利用すれば、以下、前述の仲介者設定手順と同様にして、自分も仲介者となることが出来る。仲介者設定ＣＧＩスクリプト４０は、設定要求が別の仲介者を経由して行われた場合は、新たな仲介者を設定する際に、その要求に介在した仲介者を全て反映して、その仲介者専用のホストの別名を設定する。
【００３６】
商品に関心を持つ利用者は購入の意志を伝える場合、接続しているＨＴＴＰサーバの購入受け付け文を参照する。その際、利用者のＷＥＢブラウザ３３は、参照しているＨＴＴＰサーバのホスト名を、接続要求メッセージの中でＨＴＴＰサーバに伝える。参照記録データベース３７は、参照を要求されたＨＴＴＰサーバが、どのようなホスト名であったのかを記録し、それが特定の仲介者からの要求に従って設定された、その仲介者に対応した商品販売ＨＴＴＰサーバ３１の別名であった場合には、それを記録する。
【００３７】
この結果、商品販売者は、商品情報を参照したり購入希望を伝えてきた利用者が、どのＨＴＴＰサーバを参照していたのかを知ることが出来る。利用者が参照したＨＴＴＰサーバが仲介者のものであった場合、商品販売者はこの仲介者及びこの仲介者の設定を仲介した仲介者について、販売に貢献があったものとみなし、参照記録データベース３７に基づいて報酬を支払う。
【００３８】
この処理の流れを図７に示す。
【００３９】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【実施例３】
【００４０】
図８は本発明の商品広告・宣伝方法の第３の実施例を示すもので、図中、第１の実施例と同一構成部分は同一符号をもって表す。即ち、３１は商品販売ＨＴＴＰサーバ、３２は仲介ＨＴＴＰサーバ、３３はＷＥＢブラウザ、３４は購入受付ＣＧＩスクリプト、３６はＨＴＭＬ文、３７は参照記録データベース（ＤＢ）、３８はインターネット（通信ネットワーク）、３９はＤＮＳサーバ、４１は仲介者からの要求に基づいて、その仲介者専用のＨＴＭＬサーバのサブドメイン空間をＤＮＳサーバ３９に設定する仲介者設定ＣＧＩスクリプトである。
【００４１】
前記構成において、商品販売者は、販売しようとする商品に関する情報やその広告・宣伝メッセージをＨＴＭＬ文に記述し、自身の管理する商品販売ＨＴＴＰサーバ３１を用いてこれをインターネット３８上で公開する。また、購入受付ＣＧＩスクリプト３４や仲介者設定ＣＧＩスクリプト４１も同時に記述し、併せて商品販売ＨＴＴＰサーバ３１に設定する。このようにすると、ＷＥＢブラウザ３３を用いてこの商品販売ＨＴＴＰサーバ３１に接続したネットワーク利用者は、この商品を評価し、また購入希望を伝えることが出来るようになる。
【００４２】
商品を評価した結果、この商品を仲介しようとする利用者（仲介者）は、商品販売者の仲介者設定ＣＧＩスクリプト４１を起動する。仲介者設定ＣＧＩスクリプト４１は、ＤＮＳサーバ３９に商品販売ＨＴＴＰサーバ３１が帰属する、その仲介者専用の特別なサブドメイン空間を設定する。
【００４３】
次に、仲介者は、仲介しようとする商品に関する情報やその広告・宣伝、論評などをＨＴＭＬ文３６に記述し、自身の管理する仲介ＨＴＴＰサーバ３２を用いてこれをインターネット３８上で公開する。商品情報に関するＨＴＭＬ文には適宜、商品販売ＨＴＴＰサーバ３１に仲介者設定ＣＧＩスクリプト４１が設定した、その仲介者専用のドメイン名に基づく参照を設定する。また、商品の購入を受け付ける参照文や仲介者を設定する参照文も同時に記述し、参照先にはそれぞれ商品販売ＨＴＴＰサーバ３１に設定されている、その仲介者専用のドメイン名に基づく購入受付ＣＧＩスクリプト３４、仲介者設定ＣＧＩスクリプト４１を指定する。
【００４４】
この時点でネットワーク利用者は、商品販売ＨＴＴＰサーバ３１と仲介ＨＴＴＰサーバ３２の両方が同時に参照可能である。いずれかのＨＴＴＰサーバを参照し商品を評価した結果、この商品を仲介しようとするネットワーク利用者は、商品販売者または仲介者の仲介者設定ＣＧＩスクリプトを利用すれば、以下、前述の仲介者設定手順と同様にして、自分も仲介者となることが出来る。仲介者設定ＣＧＩスクリプト４１は、設定要求が別の仲介者を経由して行われた場合は、新たな仲介者を設定する際に、その要求に介在した仲介者に相当するドメインに、その仲介者専用のサブドメインを設定する。
【００４５】
商品に関心を持つ利用者は購入の意志を伝える場合、接続しているＨＴＴＰサーバの購入受け付け文を参照する。その際、利用者のＷＥＢブラウザ３３は、参照しているＨＴＴＰサーバのドメイン名を、接続要求メッセージの中でＨＴＴＰサーバに伝える。参照記録データベース３７は、参照を要求されたＨＴＴＰサーバが、どのようなドメイン名であったのかを記録し、それが特定の仲介者からの要求に従って設定された、その仲介者に対応した商品販売ＨＴＴＰサーバ３１のドメイン名であった場合には、その上位の他の仲介者に対応したドメイン名を含めてそれを記録する。
【００４６】
この結果、商品販売者は、商品情報を参照したり購入希望を伝えてきた利用者が、どのＨＴＴＰサーバを参照していたのかを知ることが出来る。利用者が参照したＨＴＴＰサーバが仲介者のものであった場合、商品販売者はこの仲介者及びこの仲介者の設定を仲介した仲介者について、販売に貢献があったものとみなし、参照記録データベース３７に基づいて報酬を支払う。
【００４７】
この処理の流れを図９に示す。
【００４８】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【実施例４】
【００４９】
図１０は本発明の商品広告・宣伝方法の第４の実施例を示すもので、図中、５１はネットワーク利用者に対して販売しようとする商品に関する情報やその広告・宣伝を格納した商品販売ファイルサーバ（販売者装置）、５２は商品に対する付加情報を提供し、あるいは商品販売ファイルサーバ５１の情報を集約して提供する仲介ファイルサーバ（仲介者装置）、５３は商品情報や仲介情報を参照し、または商品の購入を要求する遠隔端末装置（利用者装置）、５４は利用者から商品購入の要求があった場合にこれを受け付け処理する購入受付プログラム、５５は仲介者からの要求に基づいてその仲介者専用の認証情報を設定する仲介者設定プログラム、５６はシステムへの接続があった場合に利用者を認証する認証機構、５７は認証機構５６が受け付けたシステムへの接続記録を記録する接続記録データベース、５８は商品販売者のプログラムを遠隔実行する遠隔実行プログラム、５９はこれらを相互に接続するインターネット（通信ネットワーク）である。
【００５０】
前記構成において、商品販売者は、販売しようとする商品に関する情報やその広告・宣伝メッセージをファイルに記述し、自身の管理する商品販売ファイルサーバ５１を用いてこれをインターネット５９上で公開する。また、購入受付プログラム５４や仲介者設定プログラム５５も同時に記述し、併せて商品販売ファイルサーバ５１に設定する。この商品販売ファイルサーバ５１に接続するための認証情報は、メールなど補助的手段を用いてネットワーク利用者に知らせる。このようにすると、遠隔端末装置５３を用いて、この商品販売ファイルサーバ５１に接続したネットワーク利用者は、この商品を評価し、また購入希望を伝えることが出来るようになる。
【００５１】
商品を評価した結果、この商品を仲介しようとする利用者（仲介者）は、商品販売者の仲介者設定プログラム５５を起動する。仲介者設定プログラム５５は、商品販売ファイルサーバ５１の利用者を認証する認証機構５６にその仲介者専用の特別な認証情報、例えば利用者識別子とパスワードの組などを設定し、仲介者に伝える。
【００５２】
次に、仲介者は、仲介しようとする商品に関する情報やその広告・宣伝、論評などを記述し、自身の管理する仲介ファイルサーバ５２を用いてこれをインターネット５９上で公開する。商品情報に関する記述では適宜、商品販売ファイルサーバ５１中にある文章を参照する。また、商品販売ファイルサーバ５１中の購入受付プログラム５４や仲介者設定プログラム５５を遠隔実行することによって、それぞれ対応する機能を仲介ファイルサーバ５２において実現する遠隔実行プログラム５８も同時に記述し、遠隔実行の際に商品販売ファイルサーバ５１への接続に用いる認証情報として、その仲介者専用の認証情報を設定する。
【００５３】
この時点でネットワーク利用者は、商品販売ファイルサーバ５１と仲介ファイルサーバ５２の両方に同時に接続可能である。いずれかのサーバを参照し商品を評価した結果、この商品を仲介しようとするネットワーク利用者は、商品販売者または仲介者の仲介者設定プログラムを利用すれば、以下、前述の仲介者設定手順と同様にして、自分も仲介者となることが出来る。仲介者設定プログラム５５は、設定要求が別の仲介者を経由して行われた場合は、新たな仲介者を設定する際に、その要求に介在した仲介者を全て新たな認証情報に関連付けて記録する。
【００５４】
利用者は商品購入の意志を伝える場合、接続している商品販売ファイルサーバ５１の購入受付プログラム５４を起動する。その際、利用者は、商品販売ファイルサーバ５１に接続するために必要となる認証情報を用いる。接続記録データベース５７はシステムへの接続に用いられた認証情報が、どのような情報であったのか記録し、それが特定の仲介者からの要求に従って設定された、その仲介者に対応した認証情報であった場合には、それを記録する。
【００５５】
この結果、商品販売者は、商品情報を参照したり購入希望を伝えてきた利用者が、どのファイルサーバ中のファイルを参照したのかを知ることが出来る。利用者が参照したファイルが仲介者の仲介ファイルサーバ中のものであった場合、商品販売者はこの仲介者及びこの仲介者の設定を仲介した仲介者について、販売に貢献があったものとみなし、参照記録データベース５７に基づいて報酬を支払う。
【００５６】
この処理の流れを図１１に示す。
【００５７】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【実施例５】
【００５８】
図１２は本発明の商品広告・宣伝方法の第５の実施例を示すもので、図中、６１はネットワーク利用者に対して販売しようとする商品に関する情報やその広告・宣伝をメールで配布する商品販売メールサーバ（販売者装置）、６２は商品に対する付加情報を提供し、あるいは商品販売メールサーバ６１の情報を集約してメールで提供する仲介メールサーバ（仲介者装置）、６３は商品情報や仲介情報を要求するメールや商品の購入を要求するメールを送信したり、これらの情報をメールで受け取ったりするメール読み書きプログラム（利用者装置）、６４は利用者から商品購入の要求があった場合にこれを受け付け処理する購入受付プログラム、６５は仲介者からの要求に基づいてその仲介者専用のメールアドレスを設定する仲介者設定プログラム、６６はシステムへのメール配送があった場合にこれを受け付け処理するメール配送プログラム、６７は前記メールがどのメールアドレス宛であったのか記録する配送記録データベース、６８はこれらを相互に接続するインターネット（通信ネットワーク）である。
【００５９】
前記構成において、商品販売者は、販売しようとする商品に関する情報やその広告・宣伝メッセージをファイルに記述し、自身の管理する商品販売メールサーバ６１を用いてこれをインターネット６８中に配布可能にする。また、商品の購入を受け付けるメールアドレスや仲介者を設定するメールアドレスも同時に設定し、併せて商品販売メールサーバ６１に設定する。この商品販売メールサーバ６１に情報の提供や商品購入の要求を行うためのメールアドレスは、メールなど補助約手段を用いてネットワーク利用者に知らせる。このようにすると、ネットワーク利用者は、メール読み書きプログラム６３を用いて、この商品販売メールサーバ６１にメールを送信出来るようになる。
【００６０】
商品販売メールサーバ６１のメール配送プログラム６６は、受信したメールの配送先アドレスや表題、本文中のキーワードなどに基づいて、商品情報をメールに添付して返信したり、購入受付プログラム６４や仲介者設定プログラム６５を起動したりする。これによって商品販売メールサーバ６１にメールを送信したネットワーク利用者は、商品を評価したり、または購入希望を伝えることが出来るようになる。
【００６１】
商品を評価した結果、この商品を仲介しようとする利用者（仲介者）は、商品販売者の仲介者設定用のアドレスにメールを発送する。仲介者設定プログラム６５は、商品販売メールサーバ６１のメール配送プログラム６６に、その仲介者専用の特別なメールアドレスを設定する。
【００６２】
次に、仲介者は、仲介しようとする商品に関する情報やその広告宣伝、論評などを記述し、自身の管理する仲介メールサーバ６２を用いてこれをインターネット６８中に配布可能にする。商品情報を提供する記述では適宜、関連する情報の提供を受けたり、商品の購入要求を受け付けるためのメールアドレスを指定する。また、商品の購入を受け付けるメールアドレスと、情報の提供を求めるメールアドレスへのメールの一部は、商品販売メールサーバ６１に仲介者設定プログラム６５が設定した、その仲介者専用のメールアドレスへ転送されるよう設定する。
【００６３】
この時点でネットワーク利用者は、商品販売メールサーバ６１のアドレスと仲介メールサーバ６２のアドレス両方に対して同時にメールの送信が可能である。いずれかのメールサーバから情報を入手し商品を評価した結果、この商品を仲介しようとする利用者は、商品販売者または仲介者の仲介者設定のためのメールアドレスにメールを発送すれば、以下、前述の仲介者設定手順と同様にして、自分も仲介者となることが出来る。商品販売者の仲介者設定プログラムは、設定要求を伝えるメールが別の仲介者のメールサーバを経由して転送されたものである場合は、新たな仲介者用のメールアドレスを設定する際に、その要求に介在した仲介者を全て新たなメールアドレスに関連付けて記録する。
【００６４】
商品に関心を持つ利用者は、メール読み書きプログラム６３を用いて商品販売メールサーバ６１または仲介メールサーバ６２のそれぞれ適当なメールアドレスにメールを送信する。配送記録データベース６７は、配送を要求されたメールがどのメールアドレスであったのかを記録し、それが特定の仲介者からの要求に従って設定された、その仲介者に対応したメールアドレスであった場合には、それを記録する。
【００６５】
この結果、商品販売者は、商品情報を要求したり購入希望を伝えてきた利用者が、どのメールサーバからの情報を参照したのかを知ることが出来る。利用者が参照した情報が仲介者のものであった場合、商品販売者はこの仲介者及びこの仲介者の設定を仲介した仲介者について、販売に貢献があったものとみなし、参照記録データベース６７に基づいて報酬を支払う。
【００６６】
この処理の流れを図１３に示す。
【００６７】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【実施例６】
【００６８】
図１４は本発明の商品広告・宣伝方法の第６の実施例を示すもので、図中、第１の実施例と同一構成部分は同一符号をもって表す。即ち、３１は商品販売ＨＴＴＰサーバ、３２は仲介ＨＴＴＰサーバ、３３はＷＥＢブラウザ、３４は購入受付ＣＧＩスクリプト、３６はＨＴＭＬ文、３７は参照記録データベース（ＤＢ）、３８はインターネット（通信ネットワーク）、４２は商品販売ＨＴＴＰサーバ３１のネットワーク接続に仮想インターフェースを設定するネットワークドライバ、４３は仲介ＨＴＴＰサーバ３２のネットワーク接続に仮想インターフェースを設定するネットワークドライバ、４４は仲介者からの要求に基づいてその仲介者専用のアドレスを持つ仮想インターフェースを設定する仲介者設定ＣＧＩスクリプトである。
【００６９】
前記構成において、商品販売者は、販売しようとする商品に関する情報やその広告・宣伝メッセージをＨＴＭＬ文に記述し、自身の管理する商品販売ＨＴＴＰサーバ３１を用いてこれをインターネット３８上で公開する。また、購入受付ＣＧＩスクリプト３４や仲介者設定ＣＧＩスクリプト４４も同時に記述し、併せて商品販売ＨＴＴＰサーバ３１に設定する。このようにすると、ＷＥＢブラウザ３３を用いてこの商品販売ＨＴＴＰサーバ３１に接続したネットワーク利用者は、この商品を評価し、また購入希望を伝えることが出来るようになる。
【００７０】
商品を評価した結果、この商品を仲介しようとする利用者（仲介者）は、商品販売者の仲介者設定ＣＧＩスクリプト４４を起動する。仲介者設定ＣＧＩスクリプト４４は、商品販売ＨＴＴＰサーバ３１のネットワークドライバ４２に、その仲介者専用の特別なネットワークアドレスを持ち、仲介ＨＴＴＰサーバ３２との間でトンネル接続を行う仮想インターフェースを設定する。これを受けて仲介ＨＴＴＰサーバ３２のネットワークドライバ４３は、前記商品販売ＨＴＴＰサーバ３１の仮想インターフェースとの間でトンネル接続を行う仮想インターフェースの設定を行う。
【００７１】
次に、仲介者は、仲介しようとする商品に関する情報やその広告・宣伝、論評などをＨＴＭＬ文３６に記述し、自身の管理する仲介ＨＴＴＰサーバ３２を用いてこれをインターネット３８上で公開する。商品情報に関するＨＴＭＬ文には適宜、商品販売ＨＴＴＰサーバ３１に仲介者設定ＣＧＩスクリプト４４が設定した、その仲介者専用の仮想インターフェースの持つアドレスに基づく参照を設定する。また、商品の購入を受け付ける参照文や仲介者を設定する参照文も同時に記述し、参照先には商品販売ＨＴＴＰサーバ３１に設定されている、その仲介者専用の仮想インターフェースの持つアドレスに基づくＣＧＩスクリプトを指定する。
【００７２】
この時点でネットワーク利用者は、商品販売ＨＴＴＰサーバ３１と仲介ＨＴＴＰサーバ３２の両方が同時に参照可能である。いずれかのＨＴＴＰサーバを参照し商品を評価した結果、この商品を仲介しようとするネットワーク利用者は、商品販売者または仲介者の仲介者設定ＣＧＩスクリプトを利用すれば、以下、前述の仲介者設定手順と同様にして、自分も仲介者となることが出来る。仲介者設定ＣＧＩスクリプト４４は、設定要求が別の仲介者との間のトンネル接続を経由して行われた場合は、新たな仲介者のための仮想インターフェースを設定する際に、その要求に介在した仲介者との接続のネットワークアドレス空間の下位に、新たな仲介者のためのサブネットワークアドレス空間を割り当てる。
【００７３】
利用者は商品購入の意志を伝える場合、接続しているＨＴＴＰサーバの購入受け付け文を参照する。その際、商品販売ＨＴＴＰサーバ３１は、接続を受けたアドレスがどのアドレスであったのかを把握し、参照記録データベース３７は、それが特定の仲介者からの要求に従って設定された、その仲介者に対応した仮想インターフェースのアドレスであった場合には、それを記録する。
【００７４】
この結果、商品販売者は、商品情報を参照したり購入希望を伝えてきた利用者が、どのＨＴＴＰサーバを参照していたのかを知ることが出来る。利用者が参照したＨＴＴＰサーバが仲介者のものであった場合、商品販売者はこの仲介者及びこの仲介者の設定を仲介した仲介者について、販売に貢献があったものとみなし、参照記録データベース３７に基づいて報酬を支払う。
【００７５】
この処理の流れを図１５に示す。
【００７６】
このように本実施例によれば、商品の広告・宣伝において複数の仲介者が多様な仲介を行うことを可能とし、なおかつその仲介によって成立した販売を把握して、販売に貢献した全ての仲介者に対して報酬を支払うことを可能とする。なお、この報酬の支払いは、商品の仲介者への卸売価格において反映し、利用者へは仲介者が自己への報酬分を加算して価格を決定し、小売を行うことによっても可能である。
【図面の簡単な説明】
【００７７】
【図１】本発明の商品広告・宣伝方法の基本構成にかかるシステム構成図
【図２】本発明の商品広告・宣伝方法の基本構成にかかる処理の流れ図
【図３】従来の商品広告・宣伝方法の一例にかかるシステム構成図
【図４】本発明の商品広告・宣伝方法の第１の実施例にかかるシステム構成図
【図５】本発明の商品広告・宣伝方法の第１の実施例にかかる処理の流れ図
【図６】本発明の商品広告・宣伝方法の第２の実施例にかかるシステム構成図
【図７】本発明の商品広告・宣伝方法の第２の実施例にかかる処理の流れ図
【図８】本発明の商品広告・宣伝方法の第３の実施例にかかるシステム構成図
【図９】本発明の商品広告・宣伝方法の第３の実施例にかかる処理の流れ図
【図１０】本発明の商品広告・宣伝方法の第４の実施例にかかるシステム構成図
【図１１】本発明の商品広告・宣伝方法の第４の実施例にかかる処理の流れ図
【図１２】本発明の商品広告・宣伝方法の第５の実施例にかかるシステム構成図
【図１３】本発明の商品広告・宣伝方法の第５の実施例にかかる処理の流れ図
【図１４】本発明の商品広告・宣伝方法の第６の実施例にかかるシステム構成図
【図１５】本発明の商品広告・宣伝方法の第６の実施例にかかる処理の流れ図
【符号の説明】
【００７８】
２１：商品情報提供装置、２２：仲介情報提供装置、２３：情報参照装置、２４：接続記録装置、２５：通信ネットワーク、３１：商品販売ＨＴＴＰサーバ、３２：仲介情報ＨＴＴＰサーバ、３３：ＷＥＢブラウザ、３４：購入受付ＣＧＩスクリプト、３５，４０，４１，４４：仲介者設定ＣＧＩスクリプト、３６：ＨＴＭＬ文、３７：参照記録データベース、３８，５９，６８：インターネット、３９：ＤＮＳサーバ、４２，４３：ネットワークドライバ、５１：商品販売ファイルサーバ、５２：仲介ファイルサーバ、５３：遠隔端末装置、５４，６４：購入受付プログラム、５５，６５：仲介者設定プログラム、５６：認証機構、５７：接続記録データベース、５８：遠隔実行プログラム、６１：商品販売メールサーバ、６２：仲介メールサーバ、６３：メール読み書きプログラム、６６：メール配送プログラム、６７：配送記録データベース。
【図１】
2005202591.tif 000003
【図２】
2005202591.tif 000004
【図３】
2005202591.tif 000005
【図４】
2005202591.tif 000006
【図５】
2005202591.tif 000007
【図６】
2005202591.tif 000008
【図７】
2005202591.tif 000009
【図８】
2005202591.tif 000010
【図９】
2005202591.tif 000011
【図１０】
2005202591.tif 000012
【図１１】
2005202591.tif 000013
【図１２】
2005202591.tif 000014
【図１３】
2005202591.tif 000015
【図１４】
2005202591.tif 000016
【図１５】
2005202591.tif 000017